(57)【要約】      （修正有）【課題】従来の座席取付用具によって取付固定した座席は、スライドして調節する以外に取付位置を調節できなかっさたが、座席取付体とレール取付体とを互いに長さ方向に位置をずらして一体に連設した取付用具により座席自体の取付位置の調節を可能とする。【解決手段】取付用具１の長さ方向に座席取付体２とレール取付体３とを互いに位置をずらして一体に設け，座席取付体とレール取付体との長さ方向の両端方向に各々取付用孔６を穿孔した取付用具とする。【選択図】図１
0003113546.tif 000002
【実用新案登録請求の範囲】
【請求項１】
取付用具の長さ方向に座席取付体とレール取付体とを互いに位置をずらして一体に設け，座席取付体とレール取付体との長さ方向の両端方向に各々取付用孔を穿孔してなることを特徴とする座席の取付位置を調節可能にした取付用具。
【請求項２】
取付用具の長さ方向に座席取付体とレール取付体とを互いに位置をずらして一体に設け，前記座席取付体と前記レール取付体との各々の一端方向を互いに反対方向に取付用具から外方へ突出し、座席取付体とレール取付体との長さ方向の両端方向に各々取付用孔を穿孔してなることを特徴とする座席の取付位置を調節可能にした取付用具。
【請求項３】
断面略Ｌ字状に形成した長尺体の取付用具の長さ方向に全体の長さを略同一に形成した座席取付体とレール取付体とを互いに連設の位置をずらして一体に設け，前記座席取付体と前記レール取付体との各々の一端方向を互いに反対方向に取付用具から外方へ突出し、座席取付体とレール取付体との長さ方向の両端方向に各々取付用孔を穿孔し、座席取付体の取付用孔が座席の取付用フレームに穿孔した取付ネジ孔に対応した位置に設けられ、レール取付体の取付用孔が可動レールに穿孔した取付ネジ孔に対応した位置に設けられてなることを特徴とする座席の取付位置を調節可能にした取付用具。
【請求項４】
断面略Ｌ字状に形成した長尺体の取付用具の長さ方向の起立側片を座席取付体とし水平側片をレール取付体として、該座席取付体と該レール取付体との長さ方向の各々全体の長さを略同一に形成し長さ方向の中心点の位置を互いにずらして連設し一体に設け，前記座席取付体と前記レール取付体との各々の一端方向を互いに反対方向に取付用具から外方へ突出し、座席取付部材とレール取付部材との長さ方向の両端方向に各々取付用孔を穿孔し、座席取付体の取付用孔が座席の取付用フレームに穿孔した取付ネジ孔に対応した位置に設けられ、レール取付体の取付用孔が可動レールに穿孔した取付ネジ孔に対応した位置に設けられてなることを特徴とする座席の取付位置を調節可能にした取付用具。
【請求項５】
取付用具の座席取付体が、長さ方向の両端方向に山形状に突起した山形状起立片を設け，該山形状起立片に垂直方向に複数個の取付用孔が穿孔されてなる請求項１、２、３、又は４の座席の取付位置を調節可能にした取付用具。
【請求項６】
レール取付体の両端方向の取付用孔と座席取付体の一端方向の取付用孔とが、任意の長さを有する長孔に形成されてなる請求項１、２、３、４、又は５の座席の取付位置を調節可能にした取付用具。
【請求項７】
対称形状に形成してなる取付用具を対向して配置し、対置した取付用具の座席取付体に座席の取付用フレームをレール取付体には可動レールを各々取付固定可能に設けてなる請求項１、２、３、４、５、又は６の座席の取付位置を調節可能にした取付用具。
【請求項８】
対称形状に形成してなる取付用具を対向して配置し、対置した取付用具の座席取付体に座席の取付用フレームをレール取付体には可動レールを各々取付固定可能に設けてなり、対置した取付用具を長さ方向において任意に正逆反対方向に変更可能に設けてなる請求項１、２、３、４、５、６、又は７の座席の取付位置を調節可能にした取付用具。
【考案の詳細な説明】
【技術分野】
【０００１】
本考案は、自動車やその他の乗り物の座席の取付位置を調節可能にした取付用具に関するものである。
【背景技術】
【０００２】
自動車を含む車両の運転者の座席や、船舶その他の乗り物の操縦者の座席は、安全かつスムーズに運転操作したり操縦できるように、予め、床面に座席取付用具により取付けて固定可能に設けられており、特に自動車においては、現今においては男性に限らず女性も普通に運転するようになり，また、自動車は欧米諸国において比較的大きな体格や体形の欧米白人仕様により製造した外国産自動車のいわゆる外車が、比較的小さな体格や体形を有する日本人仕様により製造した国産車に混じって多数が輸入され運転し走行されている現状から、運転者や操縦者の体格や体形等に応じて座席の取付位置を調節可能なように一定範囲で座席がスライド自在にして固定可能に設けられている。
【０００３】
しかしながら、従来のスポーツカータイプの自動車や競争用自動車を含むあらゆる用途・種類の自動車その他車両においては、運転者の体格や体形に対応して床面への運転席の取付位置を一定の範囲で調節可能なように、従来の座席を床面に固定したスライドレールに取付固定するための座席取付用具を用いて，座席とスライドレールとを取付固定し、スライドレールをスライドすることにより、運転席の取付位置を一定の範囲で調節可能にしているが、スペースの限られた車内でのスライドレールによる取付位置を調節するには、自ずと限られた範囲に限定され、しかも、国内外の多数の自動車メーカーにおいて、どのような自動車メーカーであっても、或いは車種が異なっても、どのようなサイズや多様な形状の座席であっても取付取外自在に自由に取付固定ができるようにするために、この種の座席取付用具の全長や形状や、その座席とスライドレールへの締付用ネジの挿通用に穿孔した取付ネジ孔の間隔等は、殆んど差異が無い程度に略規格化され統一化されているために、従来の座席取付用具によっては、座席の床面への取付位置は全く調節ができず、したがって，座席を取付固定したスライドレールによるスライド調節以外は運転席の取付位置の調節はできず、したがって、スライドレールによるスライド範囲以上の運転席の取付位置の調節はできないために、男女間の性別や西欧白人と東洋人との如き人種間によって、体格や体形に明らかに相当顕著な相違が存在する場合には、従来の座席取付用具を用いて取付けられた座席は、スライドレールによるスライド範囲以上の運転席の取付位置の調節はできず、このため運転操作に最も好ましい運転席の取付位置の調節ができないめに、従来の座席では安全でスムーズなハンドル操作やブレーキ操作やアクセル操作による運転操作ができないという問題があった。
【０００４】
従来の自動車の座席の床面への取付固定においては、床面に予め取付固定したスライドレールの可動レールに座席を図８、図９、図１０に示すように座席取付用具１８により、取付固定するものであった。
この従来の座席取付用具１８は、国内外を問わず多数の自動車メーカーによるあらゆる車種を問わずに、座席を自由に取替えて取付取外して、取付固定ができるように殆んどあらゆる車種の自動車の座席にも適用して使用できるようにするために座席取付用具１８は、その長さ方向の全長においても約３５ｃｍ程度と、殆んど相違が無いように略一定の大きさや形状に規格化されおり、ただ、可動レール１２と座席の座席取付用フレーム１５の取付ネジ孔の位置と配置に若干の相違が見られるに過ぎないものであった。
しかも、座席取付用具１８は、鋼鉄製平板を断面略Ｌ字状に形成し、その起立側片を座席取付片１９とし、水平側片をレール取付片２０として、該座席取付片１９と該レール取付片２０とは、略同一の長さとしその長さ方向の一方の側片縁を共通にして同一位置で一体に連設され、その両端方向に穿孔した取付ネジ孔２１も座席取付片１９とレール取付片２０との対称位置たる同一の位置に設けられている。
このために従来の座席取付用具１８によっては、座席の床面の取付位置を調節することは全く不可能であり、図８と図９に示す一体型の座席取付用具１８であつても、図１０に示す二つに分割した分離型の座席取付用具１８であつても、従来の座席取付用具１８を用いて座席を床面に取付固定しても、その取付位置を調節することはできないという問題があった。
【０００５】
このように自動車の用途や車種あるいは国内外車に対応して自動車自体の型式や規格に顕著な差異がある場合や、または男女の性別や西欧人と東洋人等の人種の相違による運転者の体格や体形に顕著な差異がある場合に、運転者の体格や体形又は自動車自体の型式や規格に応じて自動車を最も安全かつスムーズに運転操作するのに好適な座席の位置に調節するための座席の取付位置を簡単に調節することができる座席とスラドレールとを取付固定するための取付用具は、全く提供されていないという問題があった。
【特許文献１】特開２００５−１４８０３号
【特許文献２】特開平６−１０７０５０号
【考案の開示】
【考案が解決しようとする課題】
【０００６】
解決しようとする問題点は，スポーツカータイプの自動車や競争用自動車その他の用途や車種を問わず、あらゆる種類の自動車を含む車両の座席は、運転者の男女の性別や、西欧白人と東洋人との人種の相違等による体格や体形に顕著な差異がある場合においては、従来の座席をスライドレールに取付固定するための座席取付用具を用いて、床面に取付けたスライドレールに取付固定した座席を、スライドするのみの調節では，運転者が男女の性別や人種の相違により顕著に体格や体形の異なる場合には、安全かつスムーズな運転操作に好適なように、十分な座席の床面への取付位置の調節を行なうことはできないという点である。
【０００７】
本考案は従来技術における課題を、床面に取付固定されたスライドレールに座席を取付固定するための取付用具の長さ方向に、座席取付体とレール取付体とを互いに位置をずらして一体に設け，その長さ方向の両端方向に各々取付用孔を穿孔することにより、解決することができる座席の取付位置を調節可能にした取付用具を提供することである。
【課題を解決するための手段】
【０００８】
上記課題を解決するため、本願考案は、取付用具の長さ方向に、座席取付体とレール取付体とを互いに位置をずらして一体に設けることにより、取付用具により座席を予め床面に取付固定したスライドレールに取付けた場合において、座席取付体とレール取付体とを互いにその位置をずらした分だけ、スライドレールのスライドによらずに、取付用具によって座席の取付位置を調節することができ，座席取付体とレール取付体との長さ方向の両端方向に各々取付用孔を穿孔することにより、一般に座席を取付固定するために規格化された間隔や位置を有する取付ネジ孔を利用して、座席を取付固定することができるように形成したことを特徴としている。
【０００９】
請求項２記載の考案によれば、
各々の一端方向を互いに反対方向に取付用具から外方へ突出したから，取付用具から外方へ突出した分だけ、すなわち、従来の座席取付用具による座席を取付固定した場合の如くスライドレールのスライドによらずに、座席を床面のスライドレールに取付固定する取付用具それ自体によって、座席の取付位置を移動して調節することが実現できる。
【００１０】
請求項３記載の考案によれば、
長尺体の取付用具の長さ方向に全体の長さを略同一に形成した座席取付体とレール取付体とを互いに連設の位置をずらして一体に設けているから、取付用具から互いに反対方向に外方へ同一の長さに座席取付体とレール取付体とかが突出されているので，取付用具から外方へ突出した分だけ、座席の取付位置を移動し、すなわち、従来の従来の座席取付用具による座席を取付位置よりも、座席の取付位置をずらして取付固定することが実現できる。
【００１１】
請求項４記載の考案によれば、
取付用具を断面略Ｌ字状に形成した長尺体の起立側片を座席取付体とし、水平側片をレール取付体としたから、床面に取付固定したスライドレールに垂直方向に座席を取付固定でき、座席取付体に座席をレール取付体にスライドレールを各々取付固定することで、座席をスライドレールに取付用具を利用して取付固定することができ、取付用孔が座席の取付用フレームとスライドレールの可動レールとに穿孔した取付ネジ孔に対応した位置に設けられいるから，規格化れた座席とスライドレールとに、本考案の取付用具を利用して容易に座席を取付固定することが実現できる。
【００１２】
本考案の請求項５記載によれば、
座席取付体が、長さ方向の両端方向に山形状に突起した山形状起立片を設けて、該山形状起立片の垂直方向に複数個の取付用孔が穿孔されているから，座席をスライドレールに取取付固定する際に、該山形状起立片の垂直方向に穿孔した取付用孔を任意に選択すれば，取付固定する座席の高さを自由に調節して、本考案の取付用具を利用して座席を取付固定することが実現できる。
【００１３】
請求項６記載の考案によれば、
取付用孔が、任意の長さを有する長孔に形成されているから、座席をスライドレールに取付固定する際に、座席の形状や座席の底部の幅に対応して、座席を取付固定するスライドレールの可動レールへのレール取付体の取付位置を、締付用ネジを挿入したまま調節することができ、さらに、座席の奥行きの大小等に対応して調節して座席を取付固定することが実現できる。
【００１４】
本考案の請求項７記載によれば、
取付用具を対称形状に形成して対向して配置してなるものであるから、対置した対称形状に形成して取付用具を、そのまま利用して座席の両側方向に座席取付体により取付するこができ、座席の両側方向に取付けた取付用具のレール取付体によりスライドレールにそのまま取付固定することができるので、本考案の取付用具を利用して座席を床面に容易に取付固定することが実現できる。
【００１５】
請求項８記載の考案によれば、
取付用具を対称形状に形成して対向して配置し、対置した対称形状に形成して取付用具を長さ方向において正逆反対方向に変更可能に設けてなるものであるから，取付用具から外方へ突出した座席取付体を自動車等の運転装置方向へ位置せしめることにより，本考案の取付用具によって、床面に取付固定される座席を運転装置方向へ接近した位置に取付固定でき、反対に、取付用具から外方へ突出した座席取付体を自動車等の運転装置と反対方向へ位置せしめることにより，本考案の取付用具によって、床面に取付固定される座席を運転装置から離れた位置に取付固定できるので、本考案の取付用具を利用して座席の取付位置を容易に調節して取付固定することが実現できる。
【考案の効果】
【００１６】
本考案の取付用具の長さ方向に座席取付体とレール取付体とを互いに位置をずらして一体に設けたから、位置をずらした分、座席取付体により取付固定する座席の取付位置を従来の座席取付用具による場合よりも床面への座席の取付位置を変更し移動し調節することが可能となるという効果がある。
取付用具の長さ方向に互いに位置をずらした座席取付体とレール取付体との両端方向に取付用孔を穿孔したから，規格化された座席の座席取付用フレームとスライドレールの可動レールとの取付ネジ孔へも締付用ネジを用いて容易に取付固定することができるという効果がある。
【００１７】
本考案の座席の取付位置を調節可能にした取付用具においては、取付用具の長さ方向に互いに位置をずらし、各々の一端方向を互いに反対方向に取付用具から座席取付体とレール取付体との各々の一端方向を互いに反対方向の外方へ突出したものであるから、取付用具から外方へ突出した分、従来の規格化されたと座席取付用具に比較して座席の取付位置を変更し移動し調節することができるという効果がある。
【考案を実施するための最良の形態】
【００１８】
本考案は、従来スポーツカータイプの自動車や競走用自動車を含むあらゆる用途や車種において、一般に採用されている座席を床面に取付固定したスライドレールに取付固定するための座席取付用具としては、略同一のに長さの座席取付片とレール取付片とを、長さ方向に一体に連設して断面略Ｌ字状に形成した座席取付用具として利用されていたが、このような従来の座席取付用具における略同一のに長さの座席取付体とレール取付体とを、長さ方向において互いに位置をずらして一体に連設した取付用具とすることにより、従来の規格化された座席取付用具と全く同様に、座席とスライドレールとの取付固定が可能であり、しかも座席取付体とレール取付体との互いに位置をずらしたことにより、位置をずらした範囲において、座席の床面への取付位置を調節することを、本考案の取付用具を用いることにより実現した。
【００１９】
以下、図を参照して本考案を実施するための最良の形態を説明する。
図１〜図７は本考案の座席の取付位置を調節可能にした取付用具の一実施例を示す図である。
【００２０】
スポーツカータイプの自動車や競争用自動車や、乗用車や貨物自動車その他のあらゆる用途タイプの自動車を含む車両や、船舶その他の乗り物の運転席や操縦席の座席を、運転者や操縦者の体格や体形に応じて床面への取付位置を調節可能に取付固定することにより、比較的体格の大きい西欧白人様の仕様規格により、或いは、比較的体格の小さい東洋人様の仕様規格により、更には男女の性別による体格や体形の差異の仕様規格による自動車等の乗り物であっても、あらゆる人種や性別や個人差による体格や体形の相違があっても、その体格や体形の相違に係らず、これらの自動車を含む乗り物の運転や操縦が、安全かつ快適に可能となる座席の取付位置を調節可能にするという目的を、単に、座席とスライドレールとを取付け固定するための取付用具の座席取付部材とレール取付部材とを、取付用具の長さ方向において互いに位置をずらして一体に設けることにより実現した。
【実施例１】
【００２１】
図１は、本考案の座席の取付位置を調節可能にした取付用具をスライドレールに取付け固定した状態を示す一実施例を示す斜視図であって、図２は本考案の取付用具を対称形状に形成し、対向して対置した状態の斜視図、図３と図４とは本考案の取付用具をスライドレールに取付け固定した状態を示す側面図であり、図５と図６とは本考案の取付用具をスライドレールに取付け固定した状態を示す平面図であり、図７は、本考案の座席の取付位置を調節可能にした取付用具により座席をスライドレールに取付け固定した状態を示す一部省略の要部拡大図である。
また、１は取付用具、２は座席取付体、３はレール取付体、４は座席取付突部、５はレール取付突部、６は取付用孔、７は山形状起立片、である。
【００２２】
本考案の座席の取付位置を調節可能にした取付用具は、鋼鉄製平板の長尺体を長さ方向に断面略Ｌ字状に形成した取付用具１を設け，該取付用具１の長さ方向の起立側片１ａを座席取付体２とし、水平側片１ｂをレール取付体３とし、該座席取付体２と該レール取付体３とは、図１に示す如く取付用具１の長さ方向たる左右方向に互いに位置をずらして一体に設け、しかも、座席取付体２とレール取付体３とは、各々の長さ方向の一端方向を取付用具１から互いに反対方向へ突出せしめて、図１に示す如く，座席取付突部４とレール取付突部５とを各々前記座席取付体２と前記レール取付体３との長さ方向の一端方向に一体に突設している。
取付用具１の長さ方向の両端方向たる該取付用具１に一体に設けた座席取付体２とレール取付体３との長さ方向の両端方向には、適宜間隔に複数個の取付用孔６を穿孔している。
【００２３】
本考案の座席の取付位置を調節可能にした取付用具１は、図１に示す如く自動車等の乗り物の床面８に固定装置９により取付固定されてなるスライドレール１０の固定レール１１にスライド自在に嵌合されてなる可動レール１２の長さ方向に穿孔された取付ネジ孔に対応した位置において、穿孔した前記取付用具１のレール取付体３の取付用孔６に、締付用ネジ１３を挿通して、該締付用ネジ１３により取付用具１を可動レール１２に取付固定するものである。
斯くの如くして、レール取付体３を可動レール１２に取付固定しすることにより、取付用具１を床面８に取付固定されてなるスライドレール１０に取付固定し、該取付用具１の座席取付体２に図７に示す如く、座席１４の座席取付用フレーム１５に穿孔した取付ネジ孔に対応した位置において、穿孔した座席取付体２の取付用孔６と座席取付用フレーム１５の取付ネジ孔とに、締付用ネジ１３を挿通して締付け固定し、該取付用具１を介して座席１４とスライドレール１０とを一体に取付固定するものである。
【００２４】
この様にして本考案の取付用具１を介して座席１４とスライドレール１０とを一体に取付固定するものであり、しかも、座席取付体２とレール取付体３とは、取付用具１の長さ方向において互いに位置をずらして一体に設け、かつ、座席取付体２とレール取付体３とは、各々の長さ方向の一端方向を取付用具１から互いに反対方向へ突出せしめてから、本考案の取付用具１を介して取付固定された座席１４は、座席取付体２とレール取付体３との互いに位置をずらした分だけ、従来のこの種の取付用具により取付固定された座席１４より、取付位置を前方に移動して調節することができるという効果がある。
【００２５】
本考案の取付用具１のレール取付体３を図１に示す如く，スライドレール１０の可動レール１２、締付用ネジ１３により締付けて取付固定ることにより取付用具１がスライドレール１０に取付固定される。
スライドレール１０に取付固定した取付用具１の座席取付体２の取付用孔６と座席１４の座席取付用フレーム１５の取付用ネジ孔とに締付用ネジ１３を挿通して締付け座席取付体２を座席取付用フレーム１５に取付固定し、図７に示す如く取付用具１により座席１４をスライドレール１０に一体に取付固定するものである。
このように取付用具１により座席１４をスライドレール１０に取付固定した座席１４は，ロック装置１６のロックバー１７を操作することにより、スライドレール１０上をスライド又は固定することにより座席１４前後方向に調節するものである。
【００２６】
このように、本考案の取付用具１は、座席取付体２とレール取付体３とは、各々の長さ方向の一端方向を取付用具１から互いに反対方向の外方へ突出せしめて、図１に示す如く，座席取付突部４とレール取付突部５とを、その一端方向たる前記座席取付体２と前記レール取付体３との端部方向に一体に突設しているから、取付用具１により、座席１４を床面８に取付固定すれば，取付用具１から互いに反対方向の外方へ突出せしめた座席取付突部４とレール取付突部５との長さ分だけ、従来の座席取付用具により座席１４を床面８に取付固定した場合に比較して、座席１４の床面８への取付位置を調節することができるという効果がある。
【実施例２】
【００２７】
図２に示す如く、本考案の取付用具１を同一形状の対称形状に形成し、この対称形状に形成した取付用具１を、座席１４の底面の幅と略同一に間隔を設けて対置し、対置した対称形状の取付用具１を用いて座席１４の底面方向に図７に示す状態に取付固定する。
この場合において、床面８に取付固定する座席１４の位置を、自動車の運転席方向へ近接した位置に取付固定する場合には、対置した対称形状の取付用具１から外方へ突出した一方の座席取付体３を、自動車の運転席方向へ向けて座席１４を取付用具１に取付固定し、この取付用具１により床面８に取付固定されたスライドレール１０の可動レール１２にレール取付体２を取付固定することにより、座席１４を自動車の運転席に近接した位置に取付固定することができ，また反対に、床面８に取付固定する座席１４の位置を、自動車の運転席から反対方向へ離れた位置に取付固定する場合には、対置した対称形状の取付用具１から外方へ突出した一方の座席取付体３を、自動車の運転席から反対方向へ向けて、座席１４を取付用具１に取付固定し、この取付用具１により床面８に取付固定されたスライドレール１０の可動レール１２にレール取付体２を取付固定することにより、座席１４を自動車の運転席から離れた位置に取付固定することができるものである。
【実施例３】
【００２８】
図５に示す如く、本考案の取付用具１のレール取付体２に穿孔した取付用孔６を任意の長さの長孔に形成したから、スライドレール１０の間隔が、取付固定する取付用具１のレール取付体２間の間隔と若干相違しても、締付用ネジ１３により取付け固定したままで、そのスライドレール１０への取付固定の間隔を調節することができるという効果がある。
【実施例４】
【００２９】
図２に示す如く、、本考案の取付用具１の座席取付体３の長さ方向の両端方向に山形状の山形状起立片７を起立して突設し、該山形状起立片７の垂直方向に複数個の取付用孔６を任意間隔で穿孔してなるものであるから，取付用具１の座席取付体３により座席１４を取付固定する場合に、山形状起立片７に垂直方向に穿孔した取付用孔６を任意に選定することにより、座席１４の高さを調節することができるという効果がある。
【実施例５】
【００３０】
図１に示すように本考案の取付用具は、取付用具１の座席取付体２とレール取付体３とは、各々略同一の長さの全長約３５ｃｍとし、その長さ方向において互いに位置をずらして一体に設け、かつ、座席取付体２とレール取付体３とは、各々の長さ方向の一端方向を取付用具１から互いに反対方向へ約１０ｃｍづつ突出せしめ、該取付用具１から外方へ突出した座席取付体２の両端方向に山形状起立片７を設け、該山形状起立片７に取付用孔６を穿孔してなるものであるから、本考案の取付用具１を介して取付固定された座席１４は、座席取付体２とレール取付体３との互いに位置をずらした分だけ、すなわち、座席取付体２の一端方向に設けた山形状起立片７の範囲において、取付用具により取付固定された座席１４の取付位置を移動して調節することができるという効果がある。
【産業上の利用可能性】
【００３１】
本考案の座席の取付位置を調節可能にした取付用具は、スポーツカータイプの自動車や競争用自動車を比較的体格や体形の小さい女性や、西欧白人用仕様の規格による外国製の自動車を西欧白人に対し比較的体格や体形の小さい日本人が運転する場合に限らず，自動車以外の船舶や飛行機その他乗り物を安全かつスムーズに運転したり、操縦するために予め床面に取付け固定されたスライドレールを利用して床面に座席を取付け固定される
座席の取付位置をスライドさせることにより調節可能した構造の座席において座席のスライドによる調節では不可能な範囲の大きな調節が必要な場合において、本考案の取付用具を用いることにより、座席の取付位置を調節可能にした取付用具としてあらゆる分野の座席の場合にも利用できる。
【図面の簡単な説明】
【００３２】
【図１】本考案の取付用具をスライドレールに取付固定した状態の斜視図である。
【図２】本考案の取付用具を対置した状態の斜視図である。
【図３】図１の本考案の取付用具をスライドレールに取付固定した状態の側面図である。
【図４】図１の本考案の取付用具をスライドレールに取付固定した状態の側面図である。
【図５】図１の本考案の取付用具をスライドレールに取付固定した状態の平面図である。
【図６】図１の本考案の取付用具をスライドレールに取付固定した状態の平面図である。
【図７】本考案により座席をスライドレールに取付固定した状態の要部の側面図である。
【図８】従来の座席取付用具の斜視図である。
【図９】従来の座席取付用具をスライドレールに取付固定した状態の斜視図である。
【図１０】従来の座席取付用具をスライドレールに取付固定した状態の斜視図である。
【符号の説明】
【００３３】
１      取付用具
２      座席取付体
３      レール取付体
４      座席取付突部
５      レール取付突部
６      取付用孔
７      山形状起立片
８      床面
９      固定装置
１０    スライドレール
１１    固定レール
１２    可動レール
１３    締付用ネジ
１４    座席
１５    座席取付用フレーム
１６    ロック装置
１７    ロックバー
１８    座席取付用具
１９    座席取付片
２０    レール取付片
２１    取付ネジ孔
【図１】
0003113546.tif 000003
【図２】
0003113546.tif 000004
【図３】
0003113546.tif 000005
【図４】
0003113546.tif 000006
【図５】
0003113546.tif 000007
【図６】
0003113546.tif 000008
【図７】
0003113546.tif 000009
【図８】
0003113546.tif 000010
【図９】
0003113546.tif 000011
【図１０】
0003113546.tif 000012